(57)【特許請求の範囲】
【請求項１】
被検眼を検査するための検査部と、
複数の地点及び／又は複数の地域のそれぞれに対して設定情報が関連付けられた関連情報を予め記憶する記憶部と、
測位システムからの信号を受信する測位信号受信部と、
受信された前記信号を解析して現在位置を示す位置情報を生成する信号解析部と、
生成された前記位置情報に対応する地点又は地域に関連付けられた設定情報を前記関連情報から選択する設定情報選択部と、
選択された前記設定情報に基づいて制御を実行する制御部と
を備え、
前記検査部は、視力検査用の視標を呈示する視標呈示部を含み、
前記関連情報は、複数の地域のそれぞれに対して標準視力値が関連付けられた視力値情報を含み、
前記設定情報選択部は、前記信号解析部により生成された前記位置情報が示す地点を含む地域に対応する標準視力値を前記視力値情報から選択し、
前記制御部は、選択された前記標準視力値に相当する視標を初期視標として前記視標呈示部に呈示させる
ことを特徴とする眼科装置。
【請求項２】
前記制御部は、前記設定情報選択部により選択された前記設定情報を表示手段に表示させる
ことを特徴とする請求項１に記載の眼科装置。
【請求項３】
前記表示手段に表示された前記設定情報のいずれかを指定するための操作部を備え、
前記制御部は、指定された設定情報に基づいて制御を実行する
ことを特徴とする請求項２に記載の眼科装置。
【請求項４】
前記検査部は、前記被検眼の眼圧を測定するための眼圧測定部を含み、
前記関連情報は、複数の標高値のそれぞれに対して眼圧補正値が関連付けられた眼圧補正情報を含み、
前記信号解析部は、少なくとも標高値を含む前記位置情報を生成し、
前記設定情報選択部は、生成された前記位置情報に含まれる標高値に対応する眼圧補正値を前記眼圧補正情報から選択し、
前記制御部は、前記眼圧測定部により取得された眼圧測定値を、選択された前記眼圧補正値で補正する
ことを特徴とする請求項１〜請求項３のいずれか一項に記載の眼科装置。
【請求項５】
前記検査部は、前記被検眼の眼圧を測定するための眼圧測定部を含み、
前記関連情報は、複数の標高値のそれぞれに対して眼圧判定の閾値が関連付けられた眼圧判定閾値情報を含み、
前記信号解析部は、少なくとも標高値を含む前記位置情報を生成し、
前記設定情報選択部は、生成された前記位置情報に含まれる標高値に対応する閾値を前記眼圧判定閾値情報から選択し、
前記制御部は、前記眼圧測定部により取得された眼圧測定値の判定を、前記設定情報選択部により選択された前記閾値を用いて行う
ことを特徴とする請求項１〜請求項３のいずれか一項に記載の眼科装置。
【請求項６】
前記検査部は、前記被検眼の眼底をカラー撮影するための眼底撮影部を含み、
前記関連情報は、複数の地域のそれぞれに対して眼底画像の色補正パラメータが関連付けられた色補正情報を含み、
前記設定情報選択部は、前記信号解析部により生成された前記位置情報が示す地点を含む地域に対応する色補正パラメータを前記色補正情報から選択し、
前記制御部は、前記眼底撮影部により取得されたカラー画像を、選択された前記色補正パラメータで補正する
ことを特徴とする請求項１〜請求項３のいずれか一項に記載の眼科装置。
【請求項７】
表示部及び／又は音声出力部を含む情報出力部を備え、
前記関連情報は、複数の地域のそれぞれに対して関連付けられた表示情報及び／又は音声情報を含み、
前記設定情報選択部は、前記信号解析部により生成された前記位置情報が示す地点を含む地域に対応する表示情報及び／又は音声情報を前記関連情報から選択し、
前記制御部は、選択された前記表示情報及び／又は音声情報を前記情報出力部に出力させる
ことを特徴とする請求項１〜請求項６のいずれか一項に記載の眼科装置。
【請求項８】
前記測位信号受信部が前記信号を受信できないときに現在の地点又は地域を入力するための操作部を備え、
前記制御部は、前記関連情報において入力された前記地点又は地域に関連付けられた設定情報に基づいて制御を実行する
ことを特徴とする請求項１〜請求項７のいずれか一項に記載の眼科装置。
【請求項９】
被検眼を検査するための検査部を備える眼科装置を制御する方法であって、
複数の地点及び／又は複数の地域のそれぞれに対して設定情報が関連付けられた関連情報を記憶する記憶ステップと、
測位システムからの信号を受信する受信ステップと、
受信された前記信号を解析して現在位置を示す位置情報を生成する生成ステップと、
生成された前記位置情報に対応する地点又は地域に関連付けられた設定情報を前記関連情報から選択する選択ステップと、
選択された前記設定情報に基づいて制御を実行する制御ステップと
を含み、
前記検査部は、視力検査用の視標を呈示する視標呈示部を含み、
前記関連情報は、複数の地域のそれぞれに対して標準視力値が関連付けられた視力値情報を含み、
前記選択ステップは、前記生成ステップにより生成された前記位置情報が示す地点を含む地域に対応する標準視力値を前記視力値情報から選択し、
前記制御ステップは、選択された前記標準視力値に相当する視標を初期視標として前記視標呈示部に呈示させる
ことを特徴とする、眼科装置の制御方法。
【発明の詳細な説明】
【技術分野】
【０００１】
本発明は、眼科装置およびその制御方法に関する。
【背景技術】
【０００２】
眼科分野においては様々な装置を用いて様々な検査が行われる。たとえば、眼科撮影装置を用いて被検眼の画像が取得され、眼科測定装置を用いて被検眼の特性が測定される。眼科撮影装置としては、光コヒーレンストモグラフィ装置（ＯＣＴ装置）、眼底カメラ、スリットランプ、走査型レーザ検眼鏡（ＳＬＯ）、手術用顕微鏡などがある。眼科測定装置としては、自覚検眼装置（視標呈示装置、レフラクターヘッド（フォロプタ））、視機能検査装置、レフラクトメータ、ケラトメータ、眼圧計、視野計などがある。また、２以上の装置を組み合わせてなる複合機も使用されている。
【先行技術文献】
【特許文献】
【０００３】
【特許文献１】特開２００７−１８１６３１号公報
【特許文献２】特開２００２−１６５７６２号公報
【特許文献３】再表２０１２／１７２９０７号公報
【特許文献４】特開２０１４−２１７４４１号公報
【特許文献５】特開２０１３−０４６６４９号公報
【特許文献６】特開２０１２−０１１２２３号公報
【特許文献７】特開平０５−０７６４９５号公報
【特許文献８】特開平０８−１５４８９６号公報
【特許文献９】特開２０１１−１９４１０３号公報
【特許文献１０】特開２０１４−３６８４４号公報
【発明の概要】
【発明が解決しようとする課題】
【０００４】
眼科装置は様々な国や地域に出荷され、その場所に応じた設定で使用される。たとえば、使用される場所に応じて、ユーザインターフェイスにおいて使用される言語が異なる。また、眼底や虹彩等の色は人種等によって異なるため、眼底像や前眼部像の色補正パラメータも人種等に応じて異なる。また、眼圧値は気圧により影響を受けるため、眼圧測定値を補正したり、眼圧が正常か否か判定するための閾値を補正したりする必要がある。
【０００５】
しかし、このような様々な設定を使用される国や地域ごとに個々の眼科装置に施すには、非常に煩雑な作業が必要である。また、同国内であっても気圧や人種の分布は一様ではないことを考慮すると、個々の眼科装置の設定を適切に行うことは極めて困難と言える。
【０００６】
この発明の目的は、使用される場所に応じた眼科装置の設定を適切かつ容易に行うことにある。
【課題を解決するための手段】
【０００７】
実施形態の眼科装置は、検査部と、記憶部と、測位信号受信部と、信号解析部と、設定情報選択部と、制御部とを備える。検査部は、被検眼を検査するための構成を備える。記憶部は、複数の地点及び／又は複数の地域のそれぞれに対して設定情報が関連付けられた関連情報を予め記憶する。測位信号受信部は、測位システムからの信号を受信する。信号解析部は、受信された信号を解析して現在位置を示す位置情報を生成する。設定情報選択部は、生成された位置情報に対応する地点又は地域に関連付けられた設定情報を関連情報から選択する。制御部は、選択された設定情報に基づいて制御を実行する。検査部は、視力検査用の視標を呈示する視標呈示部を含む。関連情報は、複数の地域のそれぞれに対して標準視力値が関連付けられた視力値情報を含む。設定情報選択部は、信号解析部により生成された位置情報が示す地点を含む地域に対応する標準視力値を視力値情報から選択する。制御部は、選択された標準視力値に相当する視標を初期視標として視標呈示部に呈示させる。
【発明の効果】
【０００８】
この発明によれば、使用される場所に応じた眼科装置の設定を適切かつ容易に行うことが可能である。
【図面の簡単な説明】
【０００９】
【図１】実施形態に係る眼科装置の構成の一例を表す概略図である。
【図２】実施形態に係る眼科装置の構成の一例を表す概略図である。
【図３Ａ】実施形態に係る眼科装置の使用形態の例を表すフローチャートである。
【図３Ｂ】実施形態に係る眼科装置の使用形態の例を表すフローチャートである。
【図４】実施形態に係る眼科装置の構成の一例を表す概略図である。
【図５】実施形態に係る眼科装置の構成の一例を表す概略図である。
【図６】実施形態に係る眼科装置の構成の一例を表す概略図である。
【図７】実施形態に係る眼科装置の構成の一例を表す概略図である。
【図８】実施形態に係る眼科装置の構成の一例を表す概略図である。
【図９】実施形態に係る眼科装置の構成の一例を表す概略図である。
【図１０】実施形態に係る眼科装置の構成の一例を表す概略図である。
【図１１】実施形態に係る眼科装置の構成の一例を表す概略図である。
【図１２】実施形態に係る眼科装置の構成の一例を表す概略図である。
【発明を実施するための形態】
【００１０】
実施形態に係る眼科装置及びその制御方法の例を詳細に説明する。実施形態の眼科装置は、任意の眼科撮影装置、任意の眼科測定装置又は任意の複合機であってよい。眼科撮影装置の例として、ＯＣＴ装置、眼底カメラ、スリットランプ、ＳＬＯ、手術用顕微鏡などがある。眼科測定装置としては、自覚検眼装置（視標呈示装置、レフラクターヘッド（フォロプタ））、視機能検査装置、レフラクトメータ、ケラトメータ、眼圧計、視野計などがある。
【００１１】
〈第１の実施形態〉
［構成］
任意種別の眼科装置に関する実施形態を説明する。本実施形態の眼科装置の構成の一例を図１に示す。眼科装置１は、被検眼Ｅを撮影する機能、及び／又は被検眼Ｅの特性を測定する機能を備える。眼科装置１は、制御プロセッサ１０と、記憶部２０と、検査部３０と、ユーザインターフェイス（ＵＩ）４０と、測位信号受信部５０と、データ処理部６０とを含む。
【００１２】
（制御プロセッサ１０）
制御プロセッサ１０は、眼科装置１の各部を制御する。本明細書において「プロセッサ」は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（たとえば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御プロセッサ１０は、たとえば、記憶回路や記憶装置に格納されているプログラムを読み出し実行することで、実施形態に係る機能を実現する。記憶回路や記憶装置の少なくとも一部は、制御プロセッサ１０に含まれていてよい。制御プロセッサ１０により実行可能な処理については後述する。
【００１３】
（記憶部２０）
記憶部２０は、各種のデータを記憶する。記憶部２０に記憶されるデータとしては、検査部３０により取得されたデータ（撮影データ、測定データ等）や、被検者及び被検眼に関する情報などがある。記憶部２０には、眼科装置１を動作させるための各種のコンピュータプログラムやデータが記憶されていてよい。
【００１４】
記憶部２０には関連情報２１が記憶される。関連情報２１においては、複数の地点及び／又は複数の地域のそれぞれに対して設定情報が関連付けられている。関連情報２１の構成例の概要を図２に示す。図２に示す関連情報２１はテーブル情報であり、このテーブル情報には、地点（地点群）又は地域を示す欄と、設定情報を示す欄とが設けられている。地点又は地域を示す欄には、地点又は地域を示す複数のエントリＡ１、Ａ２、Ａ３、・・・・が記録されている。設定情報を示す欄には、たとえば、設定情報の内容（設定内容）を示す情報又は設定情報の格納先（たとえば記憶部２０内のアドレス情報）を示す複数のエントリＢ１、Ｂ２、Ｂ３、・・・・が記録されている。更に、各ｉ＝１，２，３，・・・・について、地点又は地域を示すエントリＡｉと設定情報を示すエントリＢｉとが関連付けられている。
【００１５】
ここで、「地点」は、地上の位置を意味し、たとえば任意の測地系（経緯度、標高）によって表現される。また、「地域」は、地上に規定された範囲を意味し、たとえば、国、州、県等の行政的範囲や、使用言語の共通性や類似性に基づき規定された言語的範囲や、地理的・気候的な共通点に基づき規定された地理的範囲や、人種的・遺伝学的・社会学的・歴史学的な共通性や類似性に基づき規定された人類学的範囲、病理学的な共通性や類似性に基づき規定された病理学的範囲などがある。
【００１６】
また、「設定情報」は、眼科装置１の動作に関する各種の設定パラメータを含む。設定パラメータの例として、被検眼Ｅの検査（撮影、測定）を行うために検査部３０に設定される任意の数値や状態やプログラムやプロトコルがある。他の例として、検査部３０により取得された検査データを処理するためにデータ処理部６０に設定される任意の数値やプログラムやプロトコルがある。更なる例として、情報の表示・入力や眼科装置１の操作を行うユーザインターフェイス４０を制御するための数値やプログラムやプロトコルがある。また、設定情報は、眼科装置１を構成するこのような構成要素の幾つかを連係して動作させるための動作モード（制御モード）を含んでもよい。
【００１７】
（検査部３０）
検査部３０は、被検眼Ｅを検査するための構成を含む。検査部３０は、眼科装置１が提供する機能（撮影機能、測定機能等）に応じた構成を備える。たとえば、検査部３０には、光学素子、アクチュエータ、機構、回路、表示デバイス、受光素子、イメージセンサなどが設けられる。検査部３０の構成は従来の眼科装置のそれと同様であってよい。
【００１８】
（ユーザインターフェイス４０）
ユーザインターフェイス４０は、情報の表示、情報の入力、操作指示の入力など、眼科装置１とそのユーザとの間で情報をやりとりするための機能を提供する。ユーザインターフェイス４０は、出力機能と入力機能とを提供する。出力機能を提供するための構成の例として、フラットパネルディスプレイ等の表示装置や、音声出力装置や、印刷出力装置や、外部装置との通信インターフェイスや、記録媒体への書き込みを行うデータライタなどがある。入力機能を提供するための構成の例として、ボタン、キー、ポインティングデバイス、マイクロフォンなどがある。ユーザインターフェイス４０は、たとえばタッチパネルディスプレイのような出力機能と入力機能とが一体化されたデバイスを含んでよい。また、ユーザインターフェイス４０は、情報の入出力を行うためのグラフィカルユーザインターフェイス（ＧＵＩ）を含んでよい。
【００１９】
（測位信号受信部５０）
測位信号受信部５０は、測位システムからの信号を受信する。測位システムとしては、航法衛星（及び地上局）からの電波信号に基づいて現在位置を測定する航法衛星システム（Ｎａｖｉｇａｔｉｏｎ  Ｓａｔｅｌｌｉｔｅ  Ｓｙｓｔｅｍ：ＮＳＳ）や、地上局からの電波信号に基づいて現在位置を測定するシステムがある。測位システムの典型的な例として、グローバルポジショニングシステム（ＧＰＳ）、ガリレオ（Ｇａｌｉｌｅｏ）、グロナス（ＧＬＯｂａｌ  Ｎａｖｉｇａｔｉｏｎ  Ｓａｔｅｌｌｉｔｅ  Ｓｙｓｔｅｍ：ＧＬＯＮＡＳＳ）などがある。測位信号受信部５０は、１以上の測位システムからの信号を受信可能である。測位信号受信部５０は、従来のＧＰＳ受信器等と同様に、アンテナや回路を含む。
【００２０】
（データ処理部６０）
データ処理部６０は、各種のデータ処理を実行する。データ処理部６０はプロセッサを含む。データ処理部６０は、信号解析部６１と、設定情報選択部６２と、検査データ処理部６３とを含む。
【００２１】
（信号解析部６１）
信号解析部６１は、測位信号受信部５０により受信された信号を解析して現在位置を示す位置情報（現在位置情報）を生成する。測位信号から現在位置を求めるための処理は既知である。たとえば、測位信号受信部５０が航法衛星システムからの電波信号を受信するよう構成されている場合、信号解析部６１は、測位信号受信部５０により取得された複数の電波信号（たとえば少なくとも４つの航法衛星からの電波信号）を解析することで現在位置情報を生成する。
【００２２】
現在位置情報は、関連情報２１に記録されている地点・地域を示すエントリと同種の位置情報であってよい（たとえば同じ測地系による座標値であってよい）。或いは、関連情報２１に含まれる地点・地域を示すエントリと現在位置情報とが異なる種別である場合、一方の位置情報を他方の位置情報に変換する処理をデータ処理部６０（たとえば信号解析部６１、設定情報選択部６２又は検査データ処理部６３）が実行するように構成することが可能である。
【００２３】
測位信号受信部５０及び／又は信号解析部６１は、眼科装置１に外付けされてもよい。たとえば、携帯端末に搭載された測位機能（ＧＰＳ機能等）を利用して現在位置情報を取得し、それを眼科装置１に入力するように構成することが可能である。
【００２４】
測位信号受信部５０が２以上の測位システムからの信号を受信可能である場合、信号解析部６１は、それぞれの測位システムに対応した信号解析を実行することで、より精度や確度の高い現在位置情報を取得することができる。逆に、現在位置情報に精度や確度がそれほど求められない場合、その程度に応じた信号解析手法を適用することが可能である。
【００２５】
また、たとえばＧＰＳのように、測位信号が時刻に関する情報を含む場合、信号解析部６１は、測位信号受信部５０により受信された信号を解析して時刻情報を生成することができる。更に、信号解析部６１は、測位信号に含まれる時刻（航法衛星からの電波信号の発信時刻等）を補正する処理や、測位信号に含まれる時刻を現在地が属するタイムゾーンにおける現在時刻に変換する処理などを実行してよい。ここで、現在地が属するタイムゾーンは、デフォルト設定されてもよいし、信号解析部６１が取得した現在地情報に基づき決定されてもよい。
【００２６】
（設定情報選択部６２）
設定情報選択部６２は、信号解析部６１により生成された現在位置情報に対応する地点又は地域に関連付けられた設定情報を、関連情報２１から選択する。関連情報２１は、制御プロセッサ１０により設定情報選択部６２に提供される。或いは、設定情報選択部６２は、関連情報２１が格納されている記憶部２０にアクセス可能である。
【００２７】
設定情報選択部６２が実行する処理の具体例を説明する。信号解析部６１により取得された現在位置情報が所定の測地系の３次元座標値Ｐ（ｘ１，ｙ１，ｚ１）を含む場合、設定情報選択部６２は、３次元座標値Ｐが示す地点、又はこの地点の属する地域を、関連情報２１の「地点・地域」欄に記録されたエントリＡｉ（ｉ＝１，２，３，・・・・）のうちから選択する。
【００２８】
ここで、エントリＡｉと３次元座標値Ｐとが同じ測位系で表現されている場合、設定情報選択部６２は、３次元座標値Ｐと同じ座標値を示すエントリＡｉ、又は３次元座標値Ｐが属する座標値の範囲や群を示すエントリＡｉを探索することができる。
【００２９】
他方、エントリＡｉと３次元座標値Ｐとが異なる基準で表現されている場合、設定情報選択部６２は、３次元座標値Ｐの測地系をエントリＡｉの基準に変換するか、エントリＡｉの基準を３次元座標値Ｐの測地系に変換するか、或いは、３次元座標値Ｐの測地系とエントリＡｉの基準の双方をそれらと異なる基準に変換する。なお、このような変換処理は、たとえば、予め記憶された、異なる基準（座標系等）の間において要素（座標値等）を変換するための情報（変換行列等）を参照して実行される。変換処理を介することで、エントリＡｉを表示するための基準と、３次元座標値Ｐを表示するための基準とを同一視することができる。以下において、信号解析部６１により取得される現在位置情報と、関連情報２１に含まれる位置情報（地点を示す情報）とは、同じ測地系で表現されていると仮定する。
【００３０】
３次元座標値Ｐが示す地点を示すエントリＡｉの特定は、たとえば上記のようにして実行される。これに対し、３次元座標値Ｐが示す地点が属する地域を示すエントリＡｉを特定する場合、設定情報選択部６２はたとえば次のような処理を実行する。地域を示すエントリＡｉが測地系の座標値の範囲によって定義されている場合、設定情報選択部６２は、３次元座標値Ｐが属する範囲を定義しているエントリＡｉを選択する。或いは、測地系の座標値の範囲と異なる情報によって地域を示すエントリＡｉが定義されている場合、設定情報選択部６２は、別途に準備された参照情報を参照することでエントリＡｉの特定を行う。この参照情報は、たとえば、記憶部２０に予め記憶され、エントリＡｉの内容と測地系の座標値とを関連付けている。参照情報の具体例として、エントリＡｉの内容である「国の識別情報」に対して、当該国の国土を示す測地系座標値の範囲を関連付けたものがある。
【００３１】
信号解析部６１により取得された現在位置情報に対応する地点又は地域を示すエントリＡｉが、たとえばこのようにして特定されると、設定情報選択部６２は、特定された案鳥Ａｉに関連付けられた設定情報のエントリＢｉを関連情報２１から読み出して制御プロセッサ１０に送る。
【００３２】
（検査データ処理部６３）
検査データ処理部６３は、検査部３０により取得された検査データに対して所定の処理を施す。たとえば、検査データが画像データである場合、検査データ処理部６３は、この画像データに対して画像処理や解析処理を施すことができる。また、検査データ（又は画像データから得られたデータ）が数値データである場合、検査データ処理部６３は、この数値データに対して演算処理や統計処理を施すことができる。
【００３３】
［使用形態］
眼科装置１の使用形態について説明する。使用形態の例を図３Ａ及び図３Ｂに示す。
【００３４】
（第１の使用形態）
（Ｓ１：電源を投入する）
ユーザは、眼科装置１の電源を投入する。本使用形態では、電源の投入をトリガーとして、眼科装置１の設定状態の制御が実行される。なお、当該制御のトリガーは電源の投入に限定されず、任意の操作又は任意の処理であってよい。たとえば、ユーザからの指示に応じて、つまりユーザインターフェイス４０を用いて所定の操作が行われたことをトリガーとして当該制御に移行してもよい。また、眼科装置１が複合機である場合、一の機能（撮影、測定等）を実施するための操作が行われたことをトリガーとして当該制御に移行してもよい。また、眼科装置１が医療機関等の施設に設置されて初期設定等が行われるときや、メーカーや販売業者等から現地法人等に眼科装置１が搬送されて動作状態の調整等が行われるときに、当該制御を実行することができる。
【００３５】
（Ｓ２：測位信号を受信する）
ステップＳ１のトリガーを受けて、測位信号受信部５０は測位信号の受信を開始する。測位信号受信部５０は、取得された測位信号（又はそれを処理した信号）を信号解析部６１に送る。
【００３６】
（Ｓ３：現在位置情報を生成する）
信号解析部６１は、たとえば、ステップＳ２において測位信号受信部５０から入力された複数の測位信号を解析することにより現在位置情報を生成する。生成された現在位置情報は、設定状態選択部６２に送られる。
【００３７】
（Ｓ４：設定情報を選択する）
設定情報選択部６２は、ステップＳ３で生成された現在位置情報に対応する地点又は地域に関連付けられた設定情報を関連情報２１から選択する。選択された設定情報は制御プロセッサ１０に送られる。
【００３８】
（Ｓ５：設定を変更する）
制御プロセッサ１０は、ステップＳ４で選択された設定情報に基づいて眼科装置１の設定（パラメータ、状態等）を変更する。変更される設定の内容は、たとえば、検査部３０の動作や状態に関する設定内容、検査データ処理部６３の動作（アプリケーション等）に関する設定内容、及びユーザインターフェイス４０に表示されるＧＵＩに関する設定のうちの少なくとも１つを含む。
【００３９】
（Ｓ６：被検眼の検査を行う）
ステップＳ５で変更された設定状態で、検査部３０は被検眼Ｅの検査を行う。また、検査データ処理部６３は、この検査で取得された検査データを処理する。更に、制御プロセッサ１０は、この検査データや、これを処理して得られたデータをユーザインターフェイス４０に表示させる。また、ユーザは、表示された検査データ等に関する操作をユーザインターフェイス４０を用いて行うことができる。
【００４０】
（第２の使用形態）
（Ｓ１１〜Ｓ１４）
第１の使用形態のステップＳ１〜Ｓ４と同様の処理が実行される。ステップＳ１４では、１以上の設定情報が選択される。
【００４１】
（Ｓ１５：設定情報を表示する）
制御プロセッサ１０は、ステップＳ１４で選択された１以上の設定情報を、ユーザインターフェイス４０に設けられた表示装置に表示させる。ステップＳ１４で２以上の設定情報が選択された場合、制御プロセッサ１０は、たとえば、これら設定情報を一覧表示させる。
【００４２】
（Ｓ１６：ユーザが設定情報を指定する）
ユーザは、ユーザインターフェイス４０に設けられた操作デバイス（ポインティングデバイス、タッチパネルディスプレイ等）を介して、ステップＳ１５で表示された設定情報のうち所望のものを選択する。
【００４３】
なお、所望の設定情報が表示されていない場合、ユーザは、設定情報の他のオプションを表示させるための所定の操作を行う。制御プロセッサ１０は、この操作を受けて、関連情報２１に含まれている設定情報を表示装置に表示させる。このとき、関連情報２１に含まれる全ての設定情報を表示させてもよいし、ステップＳ１４で選択された設定情報以外の設定情報（つまり、ステップＳ１５で表示された設定情報以外の設定情報）のみを表示させてもよい。ユーザは、表示された設定情報のうち所望のものを指定する。
【００４４】
（Ｓ１７：設定を変更する）
制御プロセッサ１０は、ステップＳ１６で指定された設定情報に基づいて眼科装置１の設定（パラメータ、状態等）を変更する。この処理は、第１の使用形態のステップＳ５と同様にして実行される。
【００４５】
（Ｓ１８：被検眼の検査を行う）
ステップＳ１７で変更された設定状態で、検査部３０は被検眼Ｅの検査を行う。また、検査データ処理部６３は、この検査で取得された検査データを処理する。更に、制御プロセッサ１０は、この検査データや、これを処理して得られたデータをユーザインターフェイス４０に表示させる。また、ユーザは、表示された検査データ等に関する操作をユーザインターフェイス４０を用いて行うことができる。
【００４６】
［作用・効果］
実施形態に係る眼科装置の作用及び効果について説明する。
【００４７】
実施形態の眼科装置は、検査部（３０）と、記憶部（２０）と、測位信号受信部（５０）と、信号解析部（６１）と、設定情報選択部（６２）と、制御部（制御プロセッサ１０等）とを含む。検査部は、被検眼を検査するための機能を備える。複数の地点及び／又は複数の地域のそれぞれに対して設定情報が関連付けられた関連情報（２１）を予め記憶する。測位信号受信部は、測位システムからの信号を受信する。信号解析部は、受信された信号を解析して現在位置を示す位置情報を生成する。設定情報選択部は、生成された位置情報に対応する地点又は地域に関連付けられた設定情報を関連情報から選択する。制御部は、選択された設定情報に基づいて制御を実行する。
【００４８】
このような実施形態によれば、ＧＰＳ等の測位システムを利用して眼科装置の現在位置を取得し、それに基づいて設定を自動で変更することができる。したがって、使用される場所に応じた眼科装置の設定を適切かつ容易に行うことが可能である。
【００４９】
実施形態において、制御部（制御プロセッサ１０）は、設定情報選択部（６２）により選択された設定情報を表示手段に表示させることができる。表示手段は、眼科装置に設けられた表示装置（ユーザインターフェイス４０）でもよいし、眼科装置に接続された外部表示装置でもよい。
【００５０】
この構成によれば、眼科装置の現在位置に応じて自動で選択された設定情報をユーザに提示することができる。ユーザは、選択された設定情報が適当か否か確認できる。
【００５１】
実施形態の眼科装置は、表示手段に表示された設定情報のいずれかを指定するための操作部（ユーザインターフェイス４０）を備えていてよい。更に、制御部（制御プロセッサ１０等）は、指定された設定情報に基づいて制御を実行することができる。
【００５２】
この構成によれば、眼科装置により自動で選択された１以上の設定情報を提示し、それらのうち所望の設定情報をユーザが選択することができる。よって、適当な設定情報をユーザが選択し、それを眼科装置に適用することが可能である。
【００５３】
本実施形態の構成が適用された典型的な眼科装置の幾つかの例を以下に説明する。なお、本実施形態の構成を適用可能な眼科装置は以下の例示には限定されず、あらゆる種類の眼科装置に本実施形態の構成を適用することができる。また、以下の例示的な眼科装置の使用形態は、上記した第１の使用形態及び／又は第２の使用形態であってよいが、これらに限定されず、たとえばその眼科装置の種類に応じた任意の使用形態であってよい。以下の例示において、本実施形態の眼科装置と同じ機能又は類似の機能を備える構成部位には同じ符号が付され、特に言及しない限りその説明は省略される。
【００５４】
〈第２の実施形態〉
第１の実施形態を眼圧計に適用した例を説明する。本実施形態の眼科装置は、眼圧計、又は眼圧計と他の機能との複合機である。本実施形態の眼科装置の構成の一例を図４に示す。眼科装置１ａは、被検眼Ｅの眼圧を測定する機能を備える。
【００５５】
眼科装置１ａは、制御プロセッサ１０と、記憶部２０と、眼圧測定部３０ａと、ユーザインターフェイス４０と、測位信号受信部５０と、データ処理部６０とを含む。記憶部２０には、関連情報２１として或いはその一部として、眼圧補正情報２１ａが記憶されている。データ処理部６０には、検査データ処理部６３として或いはその一部として、眼圧データ処理部６３ａが設けられている。
【００５６】
眼圧測定部３０ａは、非接触式又は接触式の眼圧計としての機能を備える。非接触式眼圧計の場合、眼圧測定部３０ａは、たとえば、被検眼Ｅの前眼部を撮影するための光学系と、この光学系と同軸に設けられたノズルから被検眼Ｅの角膜に気流を吹き付ける気流吹付部と、被検眼Ｅに固視標を提示する固視光学系とを含む。更に、眼圧測定部３０ａ又は眼圧データ処理部６３ａは、気流が吹き付けられている状態の角膜の変形状態に基づいて被検眼Ｅの眼圧値を求めるプロセッサを含む。一方、接触式の眼圧計の場合、眼圧測定部３０ａは、たとえば、被検眼Ｅの前眼部を観察するための光学系と、被検眼Ｅの角膜に一定面積の平面を有する部材を押し付けるための圧平部とを含む。更に、眼圧測定部３０ａ又は眼圧データ処理部６３ａは、角膜の当該一定面積を圧平するのに必要な圧力を検出して被検眼Ｅの眼圧値を求めるプロセッサを含む。
【００５７】
眼圧補正情報２１ａにおいては、複数の標高値のそれぞれに対して眼圧補正値が関連付けられている。眼圧補正情報２１ａの例を図５に示す。図５に示す眼圧補正情報２１ａはテーブル情報であり、このテーブル情報には、標高値を示す欄と、眼圧補正値を示す欄とが設けられている。
【００５８】
標高値を示す欄には、標高値の範囲を示す複数のエントリ［０，ｈ１）、［ｈ１，ｈ２）、［ｈ２，ｈ３）、・・・・が記録されている。なお、［ｈｉ，ｈ（ｉ＋１））は、標高値がｈｉ以上かつｈ（ｉ＋１）未満の範囲を示している。なお、標高値の代わりに、標高値と同値と推定可能なパラメータを用いることができる。たとえば、気圧値の範囲や、地域を示す識別情報を、標高値の代わりに用いることが可能である。
【００５９】
眼圧補正値を示す欄には、測定された被検眼Ｅの眼圧値を（標高値、又はそれと同値と推定可能なパラメータに基づいて）補正するためのオフセット値を示す複数のエントリΔＰ１（＝０）、ΔＰ２、ΔＰ３、・・・・が記録されている。各ｉ＝１，２，３，・・・・について、標高値を示すエントリ［ｈｉ，ｈ（ｉ＋１））と眼圧補正値を示すエントリΔＰｉとが関連付けられている。
【００６０】
本実施形態の信号解析部６１は、測位信号受信部５０から入力される測位信号を解析することで、少なくとも現在位置の標高値を含む位置情報を生成する。設定情報選択部６２は、信号解析部６１により取得された標高値に対応する眼圧補正値を眼圧補正情報２１ａから選択する。
【００６１】
眼圧データ処理部６３ａは、眼圧測定部３０ａ（又は眼圧データ処理部６３ａ）により求められた被検眼Ｅの眼圧測定値を、設定情報選択部６２により選択された眼圧補正値で補正する。被検眼Ｅの眼圧測定値をＰと表し、かつ、選択された眼圧補正値をΔＰｉとすると、眼圧データ処理部６３ａは、たとえば、眼圧測定値Ｐに眼圧補正値ΔＰｉを加算した値（Ｐ＋ΔＰｉ）を求める。或いは、眼圧データ処理部６３ａは、眼圧測定値Ｐから眼圧補正値ΔＰｉを減算した値（Ｐ−ΔＰｉ）を求める。
【００６２】
制御プロセッサ１０は、補正された眼圧測定値をユーザインターフェイス４０に出力させる。たとえば、制御プロセッサ１０は、補正された眼圧測定値を表示させる。このとき、制御プロセッサ１０は、補正された眼圧測定値とともに、補正前の眼圧測定値や、適用された眼圧補正値や、標高値などを出力させることが可能である。
【００６３】
ところで、被検眼Ｅの眼圧が正常範囲に属するか否かを判定したい場合がある。被検眼Ｅの眼圧測定値を補正する本適用例は、このようなケースにも適用可能である。一方、たとえば以下に説明するような構成をこのようなケースに適用することも可能である。
【００６４】
図６に示す眼圧判定閾値情報２１ａ’はテーブル情報であり、このテーブル情報には、標高値を示す欄と、眼圧判定閾値を示す欄とが設けられている。
【００６５】
標高値を示す欄については、図５の眼圧補正情報２１ａと同様である。眼圧判定閾値を示す欄には、測定された被検眼Ｅの眼圧値に基づく正常／異常の判定を（標高値、又はそれと同値と推定可能なパラメータに基づいて）実行するための閾値を示す複数のエントリＴｈ１、Ｔｈ２、Ｔｈ３、・・・・が記録されている。各ｉ＝１，２，３，・・・・について、標高値を示すエントリ［ｈｉ，ｈ（ｉ＋１））と眼圧判定閾値を示すエントリＴｈｉとが関連付けられている。なお、眼圧判定閾値情報２１ａ’の構成はこれに限定されるものではない。たとえば、閾値のデフォルト値に対するオフセット値が標高値の範囲のエントリごとに記録された眼圧判定閾値情報２１ａ’を適用することが可能である。
【００６６】
信号解析部６１は、測位信号受信部５０から入力される測位信号を解析することで、少なくとも現在位置の標高値を含む位置情報を生成する。設定情報選択部６２は、信号解析部６１により取得された標高値に対応する眼圧判定閾値を眼圧判定閾値情報２１ａ’から選択する。
【００６７】
眼圧データ処理部６３ａは、眼圧測定部３０ａ（又は眼圧データ処理部６３ａ）により求められた被検眼Ｅの眼圧測定値が正常か異常かの判定を、設定情報選択部６２により選択された眼圧判定閾値を用いて実行する。被検眼Ｅの眼圧測定値をＰと表し、かつ、選択された眼圧判定閾値をＴｈｉとすると、眼圧データ処理部６３ａは、眼圧測定値Ｐと眼圧判定閾値Ｔｈｉとを比較する。眼圧測定値Ｐが眼圧判定閾値Ｔｈｉ以下である場合には被検眼Ｅの眼圧測定値Ｐは正常と判定され、眼圧測定値Ｐが眼圧判定閾値Ｔｈｉを超える場合には被検眼Ｅの眼圧測定値Ｐは異常と判定される。
【００６８】
制御プロセッサ１０は、眼圧の判定結果をユーザインターフェイス４０に出力させる。たとえば、制御プロセッサ１０は、眼圧の判定結果を表示させる。このとき、制御プロセッサ１０は、眼圧の判定結果とともに、求められた眼圧測定値や、当該判定に適用された眼圧判定閾値や、標準の眼圧判定閾値（Ｔｈ１）との比較結果などを出力させることが可能である。
【００６９】
実施形態に係る眼科装置の作用及び効果について説明する。
【００７０】
実施形態の眼科装置の１つの形態において、検査部（３０）は、被検眼の眼圧を測定するための眼圧測定部（３０ａ）を含む。関連情報（２１）は、複数の標高値（又は気圧値のような、標高値と実質的に同値と推定可能な情報）のそれぞれに対して眼圧補正値が関連付けられた眼圧補正情報（２１ａ）を含む。測位信号受信部（５０）は、測位システムからの信号を受信する。信号解析部（６１）は、受信された信号に基づいて、少なくとも標高値を含む位置情報を生成する。設定情報選択部（６２）は、生成された位置情報に含まれる標高値に対応する眼圧補正値を眼圧補正情報から選択する。制御部（制御プロセッサ１０、眼圧データ処理部６３ａ等）は、眼圧測定部により取得された眼圧測定値を、設定情報選択部により選択された眼圧補正値で補正する。ここで、第１の実施形態における第２の使用形態のように、設定情報選択部により選択された眼圧補正値のうちからユーザが指定した眼圧補正値を用いて眼圧測定値の補正を行ってもよい。
【００７１】
このような実施形態によれば、ＧＰＳ等の測位システムを利用して眼科装置の現在位置を取得し、それに基づいて眼圧測定に関する設定を自動で変更することができる。また、眼科装置が設置されている場所の標高（気圧）に応じた正確な眼圧測定が可能である。
【００７２】
実施形態の眼科装置の他の形態において、検査部（３０）は、被検眼の眼圧を測定するための眼圧測定部（３０ａ）を含む。関連情報（２１）は、複数の標高値（又は気圧値のような、標高値と実質的に同値と推定可能な情報）のそれぞれに対して眼圧判定閾値が関連付けられた眼圧判定閾値情報（２１ａ’）を含む。測位信号受信部（５０）は、測位システムからの信号を受信する。信号解析部（６１）は、受信された信号に基づいて、少なくとも標高値を含む位置情報を生成する。設定情報選択部（６２）は、生成された位置情報に含まれる標高値に対応する眼圧判定閾値を眼圧判定閾値情報から選択する。制御部（制御プロセッサ１０、眼圧データ処理部６３ａ等）は、眼圧測定部により取得された眼圧測定値の判定を、設定情報選択部により選択された眼圧判定閾値を用いて行う。ここで、第１の実施形態における第２の使用形態のように、設定情報選択部により選択された眼圧判定閾値のうちからユーザが指定した眼圧判定閾値を用いて眼圧測定値の判定を行ってもよい。
【００７３】
このような実施形態によれば、ＧＰＳ等の測位システムを利用して眼科装置の現在位置を取得し、それに基づいて眼圧測定に関する設定を自動で変更することができる。また、眼科装置が設置されている場所の標高（気圧）に応じた正確な眼圧の正常／異常の判定が可能である。
【００７４】
〈第３の実施形態〉
第１の実施形態を眼底カメラに適用した例を説明する。本実施形態の眼科装置は、眼底カメラ、又は眼底カメラと他の機能との複合機である。本実施形態の眼科装置の構成の一例を図７に示す。眼科装置１ｂは、被検眼Ｅの眼底（及び前眼部）を撮影する機能を備える。
【００７５】
眼科装置１ｂは、制御プロセッサ１０と、記憶部２０と、眼底撮影部３０ｂと、ユーザインターフェイス４０と、測位信号受信部５０と、データ処理部６０とを含む。記憶部２０には、関連情報２１として或いはその一部として、色補正情報２１ｂが記憶されている。データ処理部６０には、検査データ処理部６３として或いはその一部として、画像データ処理部６３ｂが設けられている。
【００７６】
眼底撮影部３０ｂは、従来と同様の眼底カメラとしての機能を備える。その具体例として、眼底撮影部３０ｂは、被検眼Ｅの眼底に照明光を照射するための照明光学系と、照明光の眼底からの戻り光をイメージセンサ（エリアセンサ）に導く撮影光学系と、被検眼Ｅに固視標を提示する固視光学系とを含む。画像データ処理部６３ｂは、眼底撮影部３０ｂのイメージセンサからの画像信号（画像データ）に画像処理や解析処理を施す。
【００７７】
色補正情報２１ｂにおいては、複数の地域のそれぞれに対して眼底画像の色補正パラメータが関連付けられている。色補正パラメータは、たとえば画像の色調を補正するためのパラメータを含む。色補正情報２１ｂの例を図８に示す。図８に示す色補正情報２１ｂはテーブル情報であり、このテーブル情報には、地域を示す欄と、色補正パラメータを示す欄とが設けられている。
【００７８】
地域を示す欄には、第１の実施形態の関連情報２１と同様に、地域を示す複数のエントリＡ１、Ａ２、Ａ３、・・・・が記録されている。色補正パラメータを示す欄には、被検眼Ｅの眼底画像の色調の補正値を示す複数のエントリ（ΔＲ１，ΔＧ１，ΔＢ１）、（ΔＲ２，ΔＧ２，ΔＢ２）、（ΔＲ３，ΔＧ３，ΔＢ３）、・・・・が記録されている。色補正パラメータのエントリ（ΔＲｉ，ΔＧｉ，ΔＢｉ）には、カラー眼底画像の赤色成分の補正値ΔＲｉと、緑色成分の補正値ΔＧｉと、青色成分の補正値ΔＢｉとが含まれている。各ｉ＝１，２，３，・・・・について、地域を示すＡｉと色補正パラメータを示すエントリ（ΔＲｉ，ΔＧｉ，ΔＢｉ）とが関連付けられている。
【００７９】
信号解析部６１は、測位信号受信部５０から入力される測位信号を解析することで、現在位置を示す位置情報を生成する。設定情報選択部６２は、信号解析部６１により取得された位置情報が示す地点を含む地域に対応する色補正パラメータを色補正情報２１ｂから選択する。画像データ処理部６３ｂは、眼底撮影部３０ｂにより得られた被検眼Ｅのカラー眼底画像を、設定情報選択部６２により選択された色補正パラメータで補正する。
【００８０】
制御プロセッサ１０は、色補正されたカラー眼底画像をユーザインターフェイス４０に出力させる。たとえば、制御プロセッサ１０は、色補正されたカラー眼底画像を表示させる。このとき、制御プロセッサ１０は、色補正されたカラー眼底画像とともに、色補正前のカラー眼底画像や、適用された色補正値などを出力させることが可能である。
【００８１】
実施形態に係る眼科装置の作用及び効果について説明する。
【００８２】
実施形態の眼科装置において、検査部（３０）は、被検眼の眼底をカラー撮影するための眼底撮影部（３０ｂ）を含む。関連情報（２１）は、複数の地域のそれぞれに対して眼底画像の色補正パラメータが関連付けられた色補正情報（２１ｂ）を含む。測位信号受信部（５０）は、測位システムからの信号を受信する。信号解析部（６１）は、受信された信号に基づいて、現在位置を示す位置情報を生成する。設定情報選択部（６２）は、生成された位置情報が示す地点を含む地域に対応する色補正パラメータを色補正情報から選択する。制御部（制御プロセッサ１０、画像データ処理部６３ｂ等）は、眼底撮影部により取得されたカラー画像を、設定情報選択部により選択された色補正パラメータで補正する。ここで、第１の実施形態における第２の使用形態のように、設定情報選択部により選択された色補正パラメータのうちからユーザが指定した色補正パラメータを用いてカラー画像の補正を行ってもよい。
【００８３】
このような実施形態によれば、ＧＰＳ等の測位システムを利用して眼科装置の現在位置を取得し、それに基づいて眼底撮影に関する設定を自動で変更することができる。また、眼科装置が設置されている場所に応じたカラー眼底画像の色補正が可能である。たとえば、眼科装置が設置されている国や地域に居住する主たる人種の眼底の色に応じて、そのカラー眼底画像の色調を補正して表示することが可能である。
【００８４】
眼科装置が設置されている国や地域に複数の人種が居住している場合などにおいて、これら複数の人種に対応する色補正パラメータの選択肢を提示したＧＵＩを表示させることができる。ユーザは、このＧＵＩを用いて被検者に対応する補正パラメータを選択する。眼科装置は、選択された色補正パラメータを用いてカラー眼底画像の色補正を行う。或いは、被検者の電子カルテ等に基づいて色補正パラメータを自動で選択し、それを適用してカラー眼底画像の色補正を行うように構成することも可能である。
【００８５】
〈第４の実施形態〉
第１の実施形態を自覚検眼装置（視標呈示装置、視機能検査）に適用した例を説明する。本実施形態の眼科装置は、視力測定用の視標（ランドルト環等）を呈示する視標呈示装置を含む。本実施形態の眼科装置の構成の一例を図９に示す。眼科装置１ｃは、被検眼Ｅの視力測定を行うための機能を備える。
【００８６】
眼科装置１ｃは、制御プロセッサ１０と、記憶部２０と、視標呈示部３０ｃと、ユーザインターフェイス４０と、測位信号受信部５０と、データ処理部６０とを含む。記憶部２０には、関連情報２１として或いはその一部として、視力値情報２１ｃが記憶されている。データ処理部６０には、検査データ処理部６３として或いはその一部として、視力データ処理部６３ｃが設けられている。
【００８７】
視標呈示部３０ｃは、従来と同様の機能を備える。その具体例として、視標呈示部３０ｃは、視標及び／又は視力表を表示する表示デバイスを含む。視標呈示部３０ｃは、この表示デバイスから出力された光を導く光学系を更に含んでもよい。視力データ処理部６３ｃは、被検眼Ｅの視力の測定値（視力値）に関する処理を実行する。この処理の例として、複数回の測定により得られた複数の視力値の統計値（平均値、標準偏差等）を算出する統計処理や、異なる日に行われた複数回の測定により得られた複数の視力値をグラフ化する処理などがある。
【００８８】
視力値情報２１ｃにおいては、複数の地域のそれぞれに対して標準視力値が関連付けられている。標準視力値は、対応する地域の居住者の視力値の統計値を示す。この統計値は、たとえば平均値や最頻値や中央値であってよい。また、標準視力値は、この統計値を所定の視力値（オフセット値）だけオフセットさせた値であってもよい。視力値情報２１ｃの例を図１０に示す。図１０に示す視力値情報２１ｃはテーブル情報であり、このテーブル情報には、地域を示す欄と、標準視力値を示す欄とが設けられている。
【００８９】
地域を示す欄には、第１の実施形態の関連情報２１と同様に、地域を示す複数のエントリＡ１、Ａ２、Ａ３、・・・・が記録されている。標準視力値を示す欄には、標準視力値を示す複数のエントリＶ１、Ｖ２、Ｖ３、・・・・が記録されている。各標準視力値のエントリは、年齢や性別等の属性により分類された複数の標準視力値を含んでいてよい。各ｉ＝１，２，３，・・・・について、地域を示すＡｉと標準視力値を示すエントリＶｉとが関連付けられている。
【００９０】
信号解析部６１は、測位信号受信部５０から入力される測位信号を解析することで、現在位置を示す位置情報を生成する。設定情報選択部６２は、信号解析部６１により取得された位置情報が示す地点を含む地域に対応する標準視力値を視力値情報２１ｃから選択する。制御プロセッサ１０は、設定情報選択部６２により選択された標準視力値に相当する視標（又は視力表）を初期視標として視標呈示部３０ｃに呈示させる。初期視標とは、被検眼Ｅの視力検査において最初に呈示される視標を意味する。つまり、被検眼Ｅの視力測定は初期視標から開始される。
【００９１】
実施形態に係る眼科装置の作用及び効果について説明する。
【００９２】
実施形態の眼科装置において、検査部（３０）は、視力検査用の視標を呈示する視標呈示部（３０ｃ）を含む。関連情報（２１）は、複数の地域のそれぞれに対して標準視力値が関連付けられた視力値情報（２１ｃ）を含む。測位信号受信部（５０）は、測位システムからの信号を受信する。信号解析部（６１）は、受信された信号に基づいて、現在位置を示す位置情報を生成する。設定情報選択部（６２）は、信号解析部により生成された位置情報が示す地点を含む地域に対応する標準視力値を視力値情報から選択する。制御部（制御プロセッサ１０）は、選択された標準視力値に相当する視標を初期視標として視標呈示部に呈示させる。ここで、第１の実施形態における第２の使用形態のように、設定情報選択部により選択された標準視力値のうちからユーザが指定した標準視力値に相当する視標を初期視標として呈示させてもよい。
【００９３】
このような実施形態によれば、ＧＰＳ等の測位システムを利用して眼科装置の現在位置を取得し、それに基づいて視力測定に関する設定を自動で変更することができる。また、眼科装置が設置されている場所に応じた視力測定が可能である。具体的には、眼科装置が設置されている国や地域の居住者の標準的な視力値に相当する視標から視力測定を開始することが可能である。よって、視力測定を円滑かつ迅速に行うことができる。
【００９４】
〈第５の実施形態〉
本実施形態の眼科装置は、ユーザインターフェイスに特徴を有する。本実施形態は任意の眼科装置に適用可能である。本実施形態の眼科装置の構成の一例を図１１に示す。
【００９５】
眼科装置１ｄは、制御プロセッサ１０と、記憶部２０と、検査部３０と、ユーザインターフェイス４０ｄと、測位信号受信部５０と、データ処理部６０とを含む。ユーザインターフェイス４０ｄには、表示部４１と、音声出力部４２とが設けられている。表示部４１は表示デバイスを含む。音声出力部４２は、音声出力回路やスピーカを含む。なお、表示部４１や音声出力部４２は、眼科装置１ｄの外部装置であってよい。たとえば、眼科装置１ｄに接続されたコンピュータが具備する表示デバイスや音声出力デバイスを表示部４１や音声出力部４２として使用することができる。
【００９６】
関連情報２１には、複数の地域のそれぞれに対して関連付けられた表示情報と音声情報とが記録されている。なお、表示情報のみ又は音声情報のみを含んでいてもよい。表示情報は、表示部４１に表示される情報又はその識別情報である。表示情報は、たとえば表示画面を含む。音声情報は、音声出力部４２により出力される音声又はその識別情報である。音声情報は、たとえば音声メッセージや警告音を含む。関連情報２１の例を図１２に示す。図１２に示す関連情報２１はテーブル情報であり、このテーブル情報には、地域を示す欄と、表示情報を示す欄と、音声情報を示す欄とが設けられている。
【００９７】
地域を示す欄には、第１の実施形態の関連情報２１と同様に、地域を示す複数のエントリＡ１、Ａ２、Ａ３、・・・・が記録されている。表示情報を示す欄には、表示情報を示す複数のエントリＤ１、Ｄ２、Ｄ３、・・・・が記録されている。音声情報を示す欄には、音声情報を示す複数のエントリＦ１、Ｆ２、Ｆ３、・・・・が記録されている。各ｉ＝１，２，３，・・・・について、地域を示すＡｉと表示情報を示すエントリＤｉと音声情報を示すエントリＦｉとが関連付けられている。具体例として、地域の各エントリＡｉは言語的範囲（言語ごとに分類された地域又は地域群）を示し、表示情報の各エントリＤｉは対応する言語の表示画面（ＧＵＩ等）を示し、音声情報の各エントリＦｉは対応する言語の音声メッセージを示す。
【００９８】
信号解析部６１は、測位信号受信部５０から入力される測位信号を解析することで、現在位置を示す位置情報を生成する。設定情報選択部６２は、信号解析部６１により取得された位置情報が示す地点を含む地域に対応する表示情報及び音声情報を関連情報２１から選択する。制御プロセッサ１０は、設定情報選択部６２により選択された表示情報に対応する表示画面（ＧＵＩ）を表示部４１に表示させる。また、制御プロセッサ１０は、選択された音声情報に対応する音声メッセージを音声出力部４２に出力させる。
【００９９】
実施形態に係る眼科装置の作用及び効果について説明する。
【０１００】
実施形態の眼科装置において、検査部（３０）は、被検眼の検査を行うための任意の構成を備える。また、この眼科装置は、表示部（４１）及び／又は音声出力部（４２）を含む情報出力部（ユーザインターフェイス４０）を備える。関連情報（２１ｄ）は、複数の地域のそれぞれに対して関連付けられた表示情報及び／又は音声情報を含む。測位信号受信部（５０）は、測位システムからの信号を受信する。信号解析部（６１）は、受信された信号に基づいて、現在位置を示す位置情報を生成する。設定情報選択部（６２）は、生成された位置情報が示す地点を含む地域に対応する表示情報及び／又は音声情報を関連情報から選択する。制御部（制御プロセッサ１０）は、選択された表示情報を表示部に表示させる処理、及び／又は、選択された音声情報を音声出力部に出力させる処理を実行する。ここで、第１の実施形態における第２の使用形態のように、設定情報選択部により選択された表示情報及び／又は音声情報のうちからユーザが指定した表示情報及び／又は音声情報を出力させるように構成してもよい。
【０１０１】
このような実施形態によれば、ＧＰＳ等の測位システムを利用して眼科装置の現在位置を取得し、それに基づいてユーザインターフェイスに関する設定を自動で変更することができる。それにより、眼科装置が設置されている場所に応じたユーザインターフェイスを容易に利用できる。具体例として、眼科装置が設置されている国や地域の言語の表示画面（ＧＵＩ）や音声メッセージを自動で出力させることが可能である。
【０１０２】
〈変形例〉
以上に説明した実施形態は本発明の典型的な例示に過ぎない。よって、この発明の要旨の範囲内における任意の変形（省略、置換、付加等）を適宜に施すことが可能である。
【０１０３】
たとえば、上記実施形態やその変形例に含まれる構成を任意に組み合わせることが可能である。そのような組み合わせにより得られる変形例は、組み合わせられた構成の動作や作用や効果うちの少なくとも一部を引き継ぐ。また、組み合わせられた構成を利用して、任意の使用形態を実現することが可能である。
【０１０４】
上記実施形態において、眼科装置が屋内に配置された場合や他の建造物の影になる位置に配置された場合などに、航法衛星や地上局からの測位信号（電波信号）を好適に受信できないことが想定される。そのような場合、制御プロセッサ１０は、現在位置情報を入力するための画面をユーザインターフェイス４０に表示させることができる。ユーザは、ユーザインターフェイス４０（操作部）を用いて現在位置情報の入力を行う。操作部は、たとえばハードウェアキーボード又はソフトウェアキーボードである。また、入力される現在位置情報は、たとえば、眼科装置が現在配置されている施設の名称や識別情報である。設定情報選択部６２は、ユーザインターフェイス４０を用いて入力された現在位置情報に対応する地点又は地域に関連付けられた設定情報を関連情報２１から選択する。制御プロセッサ１０（又は検査データ処理部６３等）は、選択された設定情報に基づいて制御を実行する。
【０１０５】
本変形例によれば、航法衛星や地上局からの測位信号（電波信号）を好適に受信できない場合には、ユーザが入力した現在位置情報に基づいて眼科装置の設定を変更することが可能である。
【０１０６】
眼科装置が、ネットワーク上の情報処理装置（サーバ等）と通信可能である場合、次のような構成の眼科装置やシステムを適用することが可能である。情報処理装置は、複数の地点及び／又は複数の地域のそれぞれに対して設定情報が関連付けられた関連情報を予め記憶する記憶部を備える。関連情報は、たとえば、実施形態の眼科装置の関連情報２１と同様の構成を備える。眼科装置は、実施形態と同様の検査部（３０）、測位信号受信部（５０）及び信号解析部（６１）を備える。つまり、検査部は、被検眼を検査するための機能を備える。測位信号受信部は、測位システムからの信号を受信する。信号解析部は、受信された信号を解析して現在位置を示す位置情報を生成する。
【０１０７】
本変形例の眼科装置は更に通信部を備える。通信部は、通信回線（インターネット等のＷＡＮ、医療機関内ネットワーク等のＬＡＮなど）を介して、上記情報処理装置との間でデータの送受信が可能である。通信部は、信号解析部により生成された位置情報を情報処理装置に向けて送信する。情報処理装置は、上記実施形態の設定情報選択部と同様の機能を備える。つまり、情報処理装置は、眼科装置から送信された位置情報を受信し、この位置情報に対応する地点又は地域に関連付けられた設定情報を記憶部内の関連情報から選択する。更に、情報処理装置は、選択された設定情報を眼科装置に向けて送信する。通信部は、情報処理装置から送信された設定情報を受信する。
【０１０８】
制御部（制御プロセッサ１０、検査データ処理部６３等）は、通信部により受信された設定情報に基づいて制御を実行する。
【０１０９】
このような眼科装置又はシステムによれば、ＧＰＳ等の測位システムを利用して眼科装置の現在位置を取得し、それに基づいて設定を自動で変更することができる。特に、関連情報や設定情報選択部を各眼科装置に設ける必要がない。また、関連情報がネットワーク上に格納されているので、そのアップデートを容易に行うことができ、各眼科装置に対して最新の設定を提供することが可能である。
【０１１０】
上記の実施形態において関連情報はテーブル情報であるが、関連情報の形態はこれに限定されない。たとえば、グラフ情報からなる関連情報を用いることができる。また、関連情報は、複数の地点及び／又は複数の地域と複数の設定情報との間の関連付けを含む情報である。複数の地点及び／又は複数の地域を示す情報は、離散的情報でも連続的情報でもよい。また、複数の設定情報は、離散的情報でも連続的情報でもよい。つまり、関連情報は、離散的情報と離散的情報とを関連付けた情報（たとえばテーブル情報）でもよいし、離散的情報と連続的情報とを関連付けた情報（たとえばテーブル情報やグラフ情報）でもよいし、連続的情報と連続的情報とを関連付けた情報（たとえばグラフ情報）でもよい。
【符号の説明】
【０１１１】
１  眼科装置
１０  制御プロセッサ
２０  記憶部
２１  関連情報
３０  検査部
４０  ユーザインターフェイス
５０  測位信号受信部
６０  データ処理部
６１  信号解析部
６２  設定情報選択部
６３  検査データ処理部
【図１】
0006553395.tif 000002
【図２】
0006553395.tif 000003
【図３Ａ】
0006553395.tif 000004
【図３Ｂ】
0006553395.tif 000005
【図４】
0006553395.tif 000006
【図５】
0006553395.tif 000007
【図６】
0006553395.tif 000008
【図７】
0006553395.tif 000009
【図８】
0006553395.tif 000010
【図９】
0006553395.tif 000011
【図１０】
0006553395.tif 000012
【図１１】
0006553395.tif 000013
【図１２】
0006553395.tif 000014